(57)【要約】【課題】入力色域が異なる画像信号が与えられた場合でも、好ましい色再現を実現する。【解決手段】明度差取得部１１は、標準的な第１の入力色域の最大彩度点と、第１の入力色域外となる色再現域を有する第２の入力色域の最大彩度点との明度差を取得する。基準点設定部１２は、被変換画像信号が第１の入力色域の色点である場合には、明度軸上の第１の入力色域の最大彩度点の明度の点を基準点１として設定する。また、被変換画像信号が第１の入力色域外であって、基準点１の明度より大きい場合には、基準点１より明度が高い側に基準点２を設定する。被変換画像信号が第１の入力色域外であって基準点１の明度以下の場合には、基準点１より明度が低い側に基準点３を設定する。そして、設定された基準点に向けて、変換部１３で被変換画像信号を出力色域の変換済画像信号へ変換する。【選択図】図１
2011066693.tif 000002
【特許請求の範囲】
【請求項１】
基準とする色域である第１の入力色域と該第１の入力色域外となる色域を有する第２の入力色域の予め決められた色点における明度差を取得する明度差取得手段と、前記明度差及び前記第２の入力色域の被変換画像信号に従って色変換方向を決める基準点を設定する基準点設定手段と、前記基準点へ向けて前記被変換画像信号を出力色域の変換済画像信号へ変換する変換手段を有することを特徴とする色変換装置。
【請求項２】
前記基準点設定手段は、前記被変換画像信号が前記第１の入力色域の色点である場合には前記第１の入力色域に従って基準点を設定することを特徴とする請求項１に記載の色変換装置。
【請求項３】
前記基準点設定手段は、前記第１の入力色域に従って設定する基準点を第１の基準点とし、前記被変換画像信号が前記第１の入力色域外である場合に、該被変換画像信号の彩度に応じて前記第１の基準点を変更した基準点を設定することを特徴とする請求項１に記載の色変換装置。
【請求項４】
前記明度差取得手段は、前記第１の入力色域の最大彩度点と前記第２の入力色域の最大彩度点における明度差を取得することを特徴とする請求項１から請求項３のいずれか１項に記載の色変換装置。
【請求項５】
前記第１の入力色域と前記第２の入力色域は、それぞれ異なる装置における色域であって、前記明度差取得手段は、ある色信号をそれぞれの前記装置に与えた場合に得られる色の明度差を取得するものである請求項１から請求項３のいずれか１項に記載の色変換装置。
【請求項６】
さらに、前記第１の入力色域及び前記第２の入力色域の明度幅を前記出力色域の明度幅に合わせるように前記被変換画像信号の明度を補正する補正手段を有し、前記変換手段は、前記補正手段で補正した後の被変換画像信号を前記変換済画像信号へ変換することを特徴とする請求項１から請求項５のいずれか１項に記載の色変換装置。
【請求項７】
さらに、前記被変換画像信号の明度が高いほど明度の補正量が大きく、また前記被変換画像信号の彩度が高いほど彩度の補正量が大きくなるように前記被変換画像信号を補正する補正手段を有し、前記変換手段は、前記補正手段で補正した後の被変換画像信号を前記変換済画像信号へ変換することを特徴とする請求項１から請求項５のいずれか１項に記載の色変換装置。
【請求項８】
前記補正手段は、前記第２の入力色域のうち前記第１の入力色域外となる色領域であって前記第１の入力色域の最大彩度点の明度よりも高い明度の色領域が存在しない場合に明度の補正を行わないことを特徴とする請求項７に記載の色変換装置。
【請求項９】
前記補正手段は、前記第２の入力色域における最大彩度点の明度が前記第１の入力色域における最大彩度点の明度よりも高い場合には、前記第２の入力色域のうち前記第１の入力色域外となる色領域であって前記第１の入力色域の最大彩度点の明度よりも高い明度の色領域について、前記被変換画像信号に対して明度及び彩度の補正を行い、前記第１の入力色域における最大彩度点の明度が前記第２の入力色域における最大彩度点の明度以上の場合には、前記第２の入力色域のうち前記第１の入力色域外となる色領域であって前記第２の入力色域の最大彩度点の明度よりも高い明度の色領域について、前記被変換画像信号に対して彩度の補正を行うことを特徴とする請求項７に記載の色変換装置。
【請求項１０】
さらに、前記被変換画像信号の明度が高いほど補正量が大きくなるように前記被変換画像信号の明度を補正する補正手段を有し、前記変換手段は、前記補正手段で補正した後の被変換画像信号を前記変換済画像信号へ変換することを特徴とする請求項１から請求項５のいずれか１項に記載の色変換装置。
【請求項１１】
さらに、前記被変換画像信号の彩度が高いほど補正量が大きくなるように前記被変換画像信号の彩度を補正する補正手段を有し、前記変換手段は、前記補正手段で補正した後の被変換画像信号を前記変換済画像信号へ変換することを特徴とする請求項１から請求項５のいずれか１項に記載の色変換装置。
【請求項１２】
さらに、前記第１の入力色域と前記第２の入力色域の予め決められた色点における彩度比を取得する彩度比取得手段を有し、前記変換手段は、前記彩度比に従って前記被変換画像信号を出力色域の変換済画像信号へ変換することを特徴とする請求項１から請求項１１のいずれか１項に記載の色変換装置。
【請求項１３】
基準とする色域である第１の入力色域と該第１の入力色域外となる色域を有する第２の入力色域の予め決められた色点における彩度比を取得する彩度比取得手段と、前記彩度比に従って前記第２の入力色域の被変換画像信号を出力色域の変換済画像信号へ変換する変換手段を有することを特徴とする色変換装置。
【請求項１４】
被変換画像信号の明度が高いほど明度の補正量が大きく、また前記被変換画像信号の彩度が高いほど彩度の補正量が大きくなるように前記被変換画像信号を補正する補正手段と、予め設定されている基準点へ向けて前記補正手段で補正した後の被変換画像信号を出力色域の変換済画像信号へ変換する変換手段を有することを特徴とする色変換装置。
【請求項１５】
被変換画像信号の明度が高いほど明度の補正量が大きくなるように前記被変換画像信号の明度を補正する補正手段と、予め設定されている基準点へ向けて前記補正手段で補正した後の被変換画像信号を出力色域の変換済画像信号へ変換する変換手段を有することを特徴とする色変換装置。
【請求項１６】
被変換画像信号の彩度が高いほど彩度の補正量が大きくなるように前記被変換画像信号の彩度を補正する補正手段と、予め設定されている基準点へ向けて前記補正手段で補正した後の被変換画像信号を出力色域の変換済画像信号へ変換する変換手段を有することを特徴とする色変換装置。
【請求項１７】
請求項１から請求項１６のいずれか１項に記載の色変換装置と、複数の被変換画像信号と該被変換画像信号を前記色変換装置により変換した変換済画像信号とから色変換パラメータを決定する決定手段を有することを特徴とする色変換パラメータ決定装置。
【請求項１８】
複数の被変換画像信号と該被変換画像信号を請求項１から請求項１６のいずれか１項に記載の色変換装置により変換された変換済画像信号とから決定された色変換パラメータを記憶する記憶手段と、入力画像信号をもとに前記記憶手段に記憶されている色変換パラメータに従って出力画像信号を生成する生成手段を有することを特徴とする画像処理装置。
【請求項１９】
複数の被変換画像信号と該被変換画像信号を請求項１から請求項１６のいずれか１項に記載の色変換装置により変換された変換済画像信号とから決定された色変換パラメータを記憶する記憶手段と、入力画像信号をもとに前記記憶手段に記憶されている色変換パラメータに従って出力画像信号を生成する生成手段と、生成手段で生成された出力画像信号に従って画像を形成する形成手段を有することを特徴とする画像形成装置。
【請求項２０】
コンピュータに、請求項１から請求項１６のいずれか１項に記載の色変換装置の機能を実行させるものであることを特徴とする色変換処理プログラム。
【請求項２１】
コンピュータに、請求項１７に記載の色変換パラメータ決定装置の機能を実行させるものであることを特徴とする色変換パラメータ決定処理プログラム。
【請求項２２】
コンピュータに、請求項１８に記載の画像処理装置の機能を実行させるものであることを特徴とする画像処理プログラム。
【発明の詳細な説明】
【技術分野】
【０００１】
本発明は、色変換装置、色変換パラメータ決定装置、画像処理装置、画像形成装置、色変換処理プログラム、色変換パラメータ決定処理プログラム、画像処理プログラムに関するものである。
【背景技術】
【０００２】
一般にカラー画像を出力させようとする場合、出力装置において再現される色範囲（色再現域）は制限されており、その制限された色再現域の色を示す色信号に変換して出力している。例えば、変換対象となる色信号は出力装置の色再現域（出力色域）を外れている場合があり、このような出力色域を外れている色信号を出力色域の色信号に変換する。また、変換対象となる色信号についても、ある色再現域（入力色域）の色であることがほとんどであり、入力色域のうち出力色域外となる色について出力色域の色に変換するという色域間での色変換が行われている。
【０００３】
このような色域間で色変換を行う手法として、従来よりいくつかの手法が考えられている。例えば、明度軸上の１点へ向けて変換対象の色信号を出力色域の外郭上の色に変換する方法、明度を保存し、あるいは彩度を保存して、変換対象の色信号を出力色域の外郭上の色に変換する方法、色差最小の色に変換する方法などがある。例えば特許文献１では、色差最小の方法と明度を保存する方法を組み合わせて用いている。
【０００４】
ある出力装置でカラー画像を出力させる場合、与えられる画像信号の色再現域（入力色域）はまちまちであり、大きさや形状が異なっている。例えばｓＲＧＢのように、ある程度規格化された画像信号であっても、例えば装置非依存色空間であるＬＡＢ色空間での色再現域は入力装置によって異なってしまう。近年では、ｓＲＧＢよりも広い色再現域を有する画像信号も使用されるようになっている。
【０００５】
このように大きさや形状が異なる入力色域に対応するため、例えば特許文献２に記載されている技術がある。この技術では標準的な色再現の領域は標準的な色再現域を用いる。また、標準的な色再現域外となる別の色再現域の色は、その別の色再現域の外郭の色が再現されるプリンタの色域外郭の色と標準的な色再現域の変換結果を補間点とする補間結果を用いて色変換を行っている。
【先行技術文献】
【特許文献】
【０００６】
【特許文献１】特開２０００−２２９７８号公報
【特許文献２】特開２００５−５７７６７号公報
【発明の概要】
【発明が解決しようとする課題】
【０００７】
本発明は、入力色域が異なる画像信号が与えられた場合でも、好ましい色再現を実現することを目的とするものである。
【課題を解決するための手段】
【０００８】
本願請求項１に記載の発明は、基準とする色域である第１の入力色域と該第１の入力色域外となる色域を有する第２の入力色域の予め決められた色点における明度差を取得する明度差取得手段と、前記明度差及び前記第２の入力色域の被変換画像信号に従って色変換方向を決める基準点を設定する基準点設定手段と、前記基準点へ向けて前記被変換画像信号を出力色域の変換済画像信号へ変換する変換手段を有することを特徴とする色変換装置である。
【０００９】
本願請求項２に記載の発明は、本願請求項１に記載の発明における前記基準点設定手段が、前記被変換画像信号が前記第１の入力色域の色点である場合には前記第１の入力色域に従って基準点を設定することを特徴とする色変換装置である。
【００１０】
本願請求項３に記載の発明は、本願請求項１に記載の発明における前記基準点設定手段が、前記第１の入力色域に従って設定する基準点を第１の基準点とし、前記被変換画像信号が前記第１の入力色域外である場合に、該被変換画像信号の彩度に応じて前記第１の基準点を変更した基準点を設定することを特徴とする色変換装置である。
【００１１】
本願請求項４に記載の発明は、本願請求項１から請求項３のいずれか１項に記載の発明における前記明度差取得手段が、前記第１の入力色域の最大彩度点と前記第２の入力色域の最大彩度点における明度差を取得することを特徴とする色変換装置である。
【００１２】
本願請求項５に記載の発明は、本願請求項１から請求項３のいずれか１項に記載の発明における前記第１の入力色域と前記第２の入力色域は、それぞれ異なる装置における色域であって、前記明度差取得手段が、ある色信号をそれぞれの前記装置に与えた場合に得られる色の明度差を取得するものである色変換装置である。
【００１３】
本願請求項６に記載の発明は、本願請求項１から請求項５のいずれか１項に記載の発明の構成に、さらに、前記第１の入力色域及び前記第２の入力色域の明度幅を前記出力色域の明度幅に合わせるように前記被変換画像信号の明度を補正する補正手段を有し、前記変換手段は、前記補正手段で補正した後の被変換画像信号を前記変換済画像信号へ変換することを特徴とする色変換装置である。
【００１４】
本願請求項７に記載の発明は、本願請求項１から請求項５のいずれか１項に記載の発明の構成に、さらに、前記被変換画像信号の明度が高いほど明度の補正量が大きく、また前記被変換画像信号の彩度が高いほど彩度の補正量が大きくなるように前記被変換画像信号を補正する補正手段を有し、前記変換手段は、前記補正手段で補正した後の被変換画像信号を前記変換済画像信号へ変換することを特徴とする色変換装置である。
【００１５】
本願請求項８に記載の発明は、本願請求項７に記載の発明における前記補正手段が、前記第２の入力色域のうち前記第１の入力色域外となる色領域であって前記第１の入力色域の最大彩度点の明度よりも高い明度の色領域が存在しない場合に明度の補正を行わないことを特徴とする色変換装置である。
【００１６】
本願請求項９に記載の発明は、本願請求項７に記載の発明における前記補正手段が、前記第２の入力色域における最大彩度点の明度が前記第１の入力色域における最大彩度点の明度よりも高い場合には、前記第２の入力色域のうち前記第１の入力色域外となる色領域であって前記第１の入力色域の最大彩度点の明度よりも高い明度の色領域について、前記被変換画像信号に対して明度及び彩度の補正を行い、前記第１の入力色域における最大彩度点の明度が前記第２の入力色域における最大彩度点の明度以上の場合には、前記第２の入力色域のうち前記第１の入力色域外となる色領域であって前記第２の入力色域の最大彩度点の明度よりも高い明度の色領域について、前記被変換画像信号に対して彩度の補正を行うことを特徴とする色変換装置である。
【００１７】
本願請求項１０に記載の発明は、本願請求項１から請求項５のいずれか１項に記載の発明の構成に、さらに、前記被変換画像信号の明度が高いほど補正量が大きくなるように前記被変換画像信号の明度を補正する補正手段を有し、前記変換手段は、前記補正手段で補正した後の被変換画像信号を前記変換済画像信号へ変換することを特徴とする色変換装置である。
【００１８】
本願請求項１１に記載の発明は、本願請求項１から請求項５のいずれか１項に記載の発明の構成に、さらに、前記被変換画像信号の彩度が高いほど補正量が大きくなるように前記被変換画像信号の彩度を補正する補正手段を有し、前記変換手段は、前記補正手段で補正した後の被変換画像信号を前記変換済画像信号へ変換することを特徴とする色変換装置である。
【００１９】
本願請求項１２に記載の発明は、本願請求項１から請求項１１のいずれか１項に記載の発明の構成に、さらに、前記第１の入力色域と前記第２の入力色域の予め決められた色点における彩度比を取得する彩度比取得手段を有し、前記変換手段は、前記彩度比に従って前記被変換画像信号を出力色域の変換済画像信号へ変換することを特徴とする色変換装置である。
【００２０】
本願請求項１３に記載の発明は、基準とする色域である第１の入力色域と該第１の入力色域外となる色域を有する第２の入力色域の予め決められた色点における彩度比を取得する彩度比取得手段と、前記彩度比に従って前記第２の入力色域の被変換画像信号を出力色域の変換済画像信号へ変換する変換手段を有することを特徴とする色変換装置である。
【００２１】
本願請求項１４に記載の発明は、被変換画像信号の明度が高いほど明度の補正量が大きく、また前記被変換画像信号の彩度が高いほど彩度の補正量が大きくなるように前記被変換画像信号を補正する補正手段と、予め設定されている基準点へ向けて前記補正手段で補正した後の被変換画像信号を出力色域の変換済画像信号へ変換する変換手段を有することを特徴とする色変換装置である。
【００２２】
本願請求項１５に記載の発明は、被変換画像信号の明度が高いほど明度の補正量が大きくなるように前記被変換画像信号の明度を補正する補正手段と、予め設定されている基準点へ向けて前記補正手段で補正した後の被変換画像信号を出力色域の変換済画像信号へ変換する変換手段を有することを特徴とする色変換装置である。
【００２３】
本願請求項１６に記載の発明は、被変換画像信号の彩度が高いほど彩度の補正量が大きくなるように前記被変換画像信号の彩度を補正する補正手段と、予め設定されている基準点へ向けて前記補正手段で補正した後の被変換画像信号を出力色域の変換済画像信号へ変換する変換手段を有することを特徴とする色変換装置である。
【００２４】
本願請求項１７に記載の発明は、請求項１から請求項１６のいずれか１項に記載の色変換装置と、複数の被変換画像信号と該被変換画像信号を前記色変換装置により変換した変換済画像信号とから色変換パラメータを決定する決定手段を有することを特徴とする色変換パラメータ決定装置である。
【００２５】
本願請求項１８に記載の発明は、複数の被変換画像信号と該被変換画像信号を請求項１から請求項１６のいずれか１項に記載の色変換装置により変換された変換済画像信号とから決定された色変換パラメータを記憶する記憶手段と、入力画像信号をもとに前記記憶手段に記憶されている色変換パラメータに従って出力画像信号を生成する生成手段を有することを特徴とする画像処理装置である。
【００２６】
本願請求項１９に記載の発明は、複数の被変換画像信号と該被変換画像信号を請求項１から請求項１６のいずれか１項に記載の色変換装置により変換された変換済画像信号とから決定された色変換パラメータを記憶する記憶手段と、入力画像信号をもとに前記記憶手段に記憶されている色変換パラメータに従って出力画像信号を生成する生成手段と、生成手段で生成された出力画像信号に従って画像を形成する形成手段を有することを特徴とする画像形成装置である。
【００２７】
本願請求項２０に記載の発明は、コンピュータに、請求項１から請求項１６のいずれか１項に記載の色変換装置の機能を実行させるものであることを特徴とする色変換処理プログラムである。
【００２８】
本願請求項２１に記載の発明は、コンピュータに、請求項１７に記載の色変換パラメータ決定装置の機能を実行させるものであることを特徴とする色変換パラメータ決定処理プログラムである。
【００２９】
本願請求項２２に記載の発明は、コンピュータに、請求項１８に記載の画像処理装置の機能を実行させるものであることを特徴とする画像処理プログラムである。
【発明の効果】
【００３０】
本願請求項１に記載の発明によれば、基準とする第１の入力色域とは異なる色域を有する第２の入力色域の画像信号が与えられた場合でも、本構成を有しない場合に比べて好ましい変換済画像信号に変換することができる。
【００３１】
本願請求項２に記載の発明によれば、第２の入力色域のうち基準とする第１の入力色域の被変換画像信号については第１の入力色域において、本構成を有しない場合に比べて好ましい変換済画像信号に変換することができる。
【００３２】
本願請求項３に記載の発明によれば、本構成を有しない場合に比べて第１の入力色域外の被変換画像信号について彩度に応じて好ましい変換済画像信号に変換することができる。
【００３３】
本願請求項４に記載の発明によれば、それぞれの入力色域に応じた変換を行うことができる。
【００３４】
本願請求項５に記載の発明によれば、それぞれの装置における再現色の違いを反映した色変換を行うことができる。
【００３５】
本願請求項６に記載の発明によれば、本構成を有しない場合に比べて、より好ましい変換済画像信号に変換することができる。
【００３６】
本願請求項７に記載の発明によれば、本構成を有しない場合に比べて、高明度、高彩度の被変換画像信号について明度及び彩度の低下を抑えた変換を行うことができる。
【００３７】
本願請求項８に記載の発明によれば、本願請求項７に記載の発明の構成の場合に比べ、第１の入力色域外となる色領域に高明度の色領域が存在しない場合の明度の上昇を抑えた色変換を行うことができる。
【００３８】
本願請求項９に記載の発明によれば、第２の入力色域の形状に応じた色変換を行うことができる。
【００３９】
本願請求項１０に記載の発明によれば、本構成を有しない場合に比べて、高明度の被変換画像信号について明度の低下を抑えた変換を行うことができる。
【００４０】
本願請求項１１に記載の発明によれば、本構成を有しない場合に比べて、高彩度の被変換画像信号について彩度の低下を抑えた変換を行うことができる。
【００４１】
本願請求項１２に記載の発明によれば、被変換画像信号から変換済画像信号へ変換する際の変換量を第１の入力色域と第２の入力色域の彩度に従って制御することができる。
【００４２】
本願請求項１３に記載の発明によれば、本構成を有しない場合に比べて、第１の入力色域と第２の入力色域の彩度に従って変換量が制御された好ましい変換済画像信号へ変換することができる。
【００４３】
本願請求項１４に記載の発明によれば、本構成を有しない場合に比べて、高明度、高彩度の被変換画像信号について明度及び彩度の低下を抑えた好ましい変換済画像信号へ変換することができる。
【００４４】
本願請求項１５に記載の発明によれば、本構成を有しない場合に比べて、高明度の被変換画像信号について明度低下を抑えた好ましい変換済画像信号へ変換することができる。
【００４５】
本願請求項１６に記載の発明によれば、本構成を有しない場合に比べて、高彩度の被変換画像信号について彩度の低下を抑えた好ましい変換済画像信号へ変換することができる。
【００４６】
本願請求項１７に記載の発明によれば、基準とする第１の入力色域とは異なる色域を有する第２の入力色域の画像信号が与えられた場合でも、本構成を有しない場合に比べて、好ましい変換済画像信号に変換することができる色変換パラメータを得ることができる。
【００４７】
本願請求項１８に記載の発明によれば、本構成を有しない場合に比べて、入力画像信号から好ましい色が再現される出力画像信号を生成することができる。
【００４８】
本願請求項１９に記載の発明によれば、本構成を有しない場合に比べて、入力画像信号から好ましい色が再現された画像を得ることができる。
【００４９】
本願請求項２０に記載の発明によれば、基準とする第１の入力色域とは異なる色域を有する第２の入力色域の画像信号が与えられた場合でも、本構成を有しない場合に比べて、好ましい変換済画像信号に変換することができる。
【００５０】
本願請求項２１に記載の発明によれば、基準とする第１の入力色域とは異なる色域を有する第２の入力色域の画像信号が与えられた場合でも、本構成を有しない場合に比べて、好ましい変換済画像信号に変換することができる色変換パラメータを得ることができる。
【００５１】
本願請求項２２に記載の発明によれば、本構成を有しない場合に比べて、入力画像信号から好ましい色が再現される出力画像信号を生成することができる。
【図面の簡単な説明】
【００５２】
【図１】本発明の色変換装置の第１の実施の形態を示す構成図である。
【図２】本発明の色変換装置の第１の実施の形態における第１の具体例の説明図である。
【図３】本発明の色変換装置の第１の実施の形態における第２の具体例の説明図である。
【図４】本発明の色変換装置の第１の実施の形態における第３の具体例の説明図である。
【図５】本発明の色変換装置の第１の実施の形態における第１の変形例を示す構成図である。
【図６】本発明の色変換装置の第１の実施の形態における第４の具体例の説明図である。
【図７】本発明の色変換装置の第１の実施の形態における第５の具体例の説明図である。
【図８】本発明の色変換装置の第１の実施の形態における第６の具体例の説明図である。
【図９】本発明の色変換装置の第１の実施の形態における第７の具体例の説明図である。
【図１０】本発明の色変換装置の第１の実施の形態における第８の具体例の説明図である。
【図１１】本発明の色変換装置の第１の実施の形態における第３の変形例を示す構成図である。
【図１２】本発明の色変換装置の第１の実施の形態における第９の具体例の説明図である。
【図１３】本発明の色変換装置の第１の実施の形態における第１０の具体例の説明図である。
【図１４】本発明の色変換装置の第２の実施の形態を示す構成図である。
【図１５】本発明の色変換装置の第３の実施の形態を示す構成図である。
【図１６】本発明の色変換装置の第３の実施の形態における第１の具体例の説明図である。
【図１７】本発明の色変換装置の第３の実施の形態における第２の具体例の説明図である。
【図１８】本発明の色変換パラメータ決定装置の実施の一形態を示す構成図である。
【図１９】本発明の画像処理装置の実施の一形態を示す構成図である。
【図２０】本発明の画像形成装置の実施の一形態を示す構成図である。
【図２１】本発明の色変換装置の各実施の形態または色変換パラメータ決定装置、画像処理装置、画像形成装置の実施の一形態で説明した機能をコンピュータプログラムで実現した場合におけるコンピュータプログラム及びそのコンピュータプログラムを格納した記憶媒体とコンピュータの一例の説明図である。
【発明を実施するための形態】
【００５３】
図１は、本発明の色変換装置の第１の実施の形態を示す構成図である。図中、１１は明度差取得部、１２は基準点設定部、１３は変換部である。以下の説明において、第１の入力色域は標準的な入力色域であって、この第１の入力色域を基準の入力色域とする。例えばｓＲＧＢの画像信号の色再現域や、一般的なＲＧＢの画像信号の平均的な色再現域などを設定すればよい。第２の入力色域は、ここでは第１の入力色域外となる色再現域を有する入力色域とする。例えば近年使用されているｓＲＧＢよりも広域の色再現域等であってもよい。これらの第１の入力色域及び第２の入力色域の情報は、予め与えられるものとする。また、第１の入力色域及び第２の入力色域とは別に、変換済画像信号の色再現域を出力色域として、予め設定されているものとする。被変換画像信号は、第２の入力色域の画像信号であり、予め、例えばＬＡＢ色空間やＬＵＶ色空間、ＬＣＨ色空間などの装置非依存色空間の画像信号に変換されているものとする。
【００５４】
明度差取得部１１は、与えられた第１の入力色域の情報と第２の入力色域の情報を用い、第１の入力色域と第２の入力色域の予め決められた色点における明度差を取得する。明度差を取得する色点としては、例えば第１の入力色域の最大彩度点と第２の入力色域の最大彩度点とすればよい。あるいは、第１の入力色域と第２の入力色域がそれぞれ異なる装置における色域である場合に、ある色信号をそれぞれの装置に与えた場合に異なる再現色となることがあり、その再現色を明度差取得のための色点としてもよい。もちろん、第１の入力色域と第２の入力色域の対応する他の１対の色点から明度差を取得してもよい。
【００５５】
基準点設定部１２は、明度差取得部１１で取得した明度差と、変換部１３による変換対象となる被変換画像信号に従って、色変換方向を決める基準点を設定する。より具体的には、被変換画像信号が第１の入力色域の色点である場合には第１の入力色域に従って基準点（第１の基準点）を設定する。また、被変換画像信号が第１の入力色域外である場合には、第１の基準点を明度差取得部１１で取得した明度差に応じて変更し、基準点（第２の基準点）として設定する。この場合に、被変換画像信号の明度が第１の基準点の明度より大きい場合には第１の基準点より明度が高い側に第２の基準点を設定し、被変換画像信号の明度が第１の基準点の明度より小さい場合には第１の基準点より明度が低い側に第２の基準点を設定するとよい。また、変更する量は、被変換画像信号の彩度に応じて制御してもよい。変換部１３に対しては、被変換画像信号が第１の入力色域の色点であれば第１の基準点を、第１の入力色域外であれば第２の基準点を、色変換方向を決める基準点を渡すことになる。
【００５６】
変換部１３は、基準点設定部１２で設定した基準点へ向けて、被変換画像信号を出力色域の変換済画像信号へ変換する。変換方法としては従来から知られている方法を使用すればよく、例えば被変換画像信号と基準点を結ぶ線分と出力色域の外郭面との交点に変換する方法がある。あるいは、被変換画像信号と基準点を通る線分を考え、当該線分と第２の入力色域の外郭との交点と基準点との距離と、当該線分と出力色域の外郭との交点と基準点との距離の比に応じて被変換画像信号を出力色域の変換済画像信号へ変換する方法など、種々の公知の方法を使用すればよい。なお、変換済画像信号はさらに他の色空間の画像信号に変換されてもよい。例えばＣＭＹまたはＣＭＹＫ色空間やＲＧＢ色空間などに変換してもよい。
【００５７】
以下、具体例を用いながら本発明の色変換装置の第１の実施の形態における動作の一例を説明する。以下の各具体例の図面においては、ある明度−彩度平面について示している。破線は第１の入力色域を、実線は第２の入力色域を、一点鎖線は出力色域を、それぞれ示している。
【００５８】
図２は、本発明の色変換装置の第１の実施の形態における第１の具体例の説明図である。この第１の具体例では、明度差取得部１１は第１の入力色域の最大彩度点Ｐと第２の入力色域の最大彩度点Ｑとの明度差ｄＬを取得し、基準点設定部１における基準点の設定に使用する例を示している。基準点設定部１２は、被変換画像信号が第１の入力色域の色点である場合には、明度軸上の第１の入力色域の最大彩度点Ｐの明度の点を基準点（基準点１）として設定する。また、被変換画像信号が第１の入力色域外である場合には、さらに被変換画像信号の明度が基準点１の明度より大きいか否かを判定する。被変換画像信号が第１の入力色域外であって基準点１の明度より大きい場合には、基準点１より明度が高い側に基準点（基準点２）を設定する。例えば基準点１の明度に、明度差ｄＬまたは明度差ｄＬに予め決められた係数を乗算した値を加算して基準点２の明度とすればよい。被変換画像信号が第１の入力色域外であって基準点１の明度以下の場合には、基準点１より明度が低い側に基準点（基準点３）を設定する。例えば基準点１の明度から、明度差ｄＬまたは明度差ｄＬに予め決められた係数を乗算した値を差し引いて、基準点３の明度とすればよい。そして、それぞれ設定した基準点に向けて、変換部１３で被変換画像信号を出力色域の変換済画像信号へ変換すればよい。
【００５９】
例えば図２における点Ａは第１の入力色域の色である。この場合には、基準点１に向けて変換を行い、出力色域の点Ａ’を変換済画像信号として出力すればよい。また点Ｃについても第１の入力色域の色であるので、基準点１に向けて変換を行い、出力色域の点Ｃ’を変換済画像信号として出力すればよい。
【００６０】
点Ｂは第１の入力色域外の色である。さらに、第１の入力色域における最大彩度点の明度よりも明度が高い色である。従って、基準点１に明度差ｄＬを加算した基準点２に向けて変換を行い、出力色域の点Ｂ’を変換済画像信号として出力すればよい。また点Ｄは、第１の入力色域外の色であって、第１の入力色域における最大彩度点の明度よりも明度が低い色である。従って、基準点１から明度差ｄＬを差し引いた基準点３に向けて変換を行い、出力色域の点Ｄ’を変換済画像信号として出力すればよい。
【００６１】
なお、基準点２，基準点３は基準点１に明度差ｄＬを直接加減算するほか、明度差ｄＬを予め決められた関数に従って変換した値を加減算して求めてもよい。基準点１についても、第１の入力色域の最大彩度点の明度とするほか、最大彩度点の明度を予め決められた方法により調整して求めてもよい。
【００６２】
図３は、本発明の色変換装置の第１の実施の形態における第２の具体例の説明図である。この第２の具体例では、被変換画像信号が第１の入力色域外である場合に、被変換画像信号の彩度に従って基準点を変更する例を示している。明度差取得部１１は第１の入力色域の最大彩度点Ｐと第２の入力色域の最大彩度点Ｑとの明度差ｄＬを取得する。
【００６３】
基準点設定部１２は、被変換画像信号が第１の入力色域の色点である場合には、明度軸上の第１の入力色域の最大彩度点Ｐの明度の点を基準点（基準点１）として設定する。また、被変換画像信号が第１の入力色域外である場合には、さらに被変換画像信号の明度が基準点１の明度より大きいか否かを判定する。被変換画像信号が第１の入力色域外であって基準点１の明度より大きい場合には、基準点１より明度が高い側に基準点（基準点２）を設定する。例えば基準点１の明度に、明度差ｄＬまたは明度差ｄＬに予め決められた係数を乗算した値を加算して基準点２の明度とすればよい。そして、第２の入力色域の最大彩度点Ｑの彩度と、該彩度と被変換画像信号の彩度の差との比に従って基準点１と基準点２の明度を分割した点を基準点とする。例えば最大彩度点Ｑの彩度をＱＣ、彩度差をｄＣ、基準点１の明度をＬ１、基準点２の明度をＬ２とすると、設定する基準点の明度Ｌｓは、
Ｌｓ＝Ｌ１＋（Ｌ２−Ｌ１）・ｄＣ／ＱＣ
で求めればよい。この場合、第２の入力色域の最大彩度点Ｑでは基準点１であり、白点に近づくに従って基準点の明度が高くなり、白点では基準点２となる。
【００６４】
被変換画像信号が第１の入力色域外であって基準点１の明度以下の場合には、基準点１より明度が低い側に基準点（基準点３）を設定する。例えば基準点１の明度から、明度差ｄＬまたは明度差ｄＬに予め決められた係数を乗算した値を差し引いて基準点３の明度とすればよい。そして、第２の入力色域の最大彩度点Ｑの彩度と、該彩度と被変換画像信号の彩度の差との比に従って基準点１と基準点３の明度を分割した点を基準点とする。例えば最大彩度点Ｑの彩度をＱＣ、彩度差をｄＣ、基準点１の明度をＬ１、基準点３の明度をＬ３とすると、設定する基準点の明度Ｌｓは、
Ｌｓ＝Ｌ１−（Ｌ１−Ｌ３）・ｄＣ／ＱＣ
で求めればよい。この場合、第２の入力色域の最大彩度点Ｑでは基準点１であり、黒点に近づくに従って基準点の明度が低くなり、黒点では基準点３となる。
【００６５】
そして、それぞれ設定した基準点に向けて、変換部１３で被変換画像信号を出力色域の変換済画像信号へ変換すればよい。
【００６６】
例えば図３における点Ａは第１の入力色域の色である。この場合には、基準点１に向けて変換を行い、出力色域の点Ａ’を変換済画像信号として出力すればよい。また点Ｃについても第１の入力色域の色であるので、基準点１に向けて変換を行い、出力色域の点Ｃ’を変換済画像信号として出力すればよい。
【００６７】
点Ｂは第１の入力色域外の色である。さらに、第１の入力色域における最大彩度点の明度よりも明度が高い色である。従って、基準点１に明度差ｄＬを加算した基準点２を設定し、さらに点Ｑと点Ｂの彩度差ｄＣから基準点を変更する。そして、変更した基準点に向けて変換を行い、出力色域の点Ｂ’を変換済画像信号として出力すればよい。
【００６８】
また点Ｄは、第１の入力色域外の色であって、第１の入力色域における最大彩度点の明度よりも明度が低い色である。従って、基準点１から明度差ｄＬを差し引いた基準点３を設定し、さらに点Ｑと点Ｄの彩度差ｄＣから基準点を変更する。そして、変更した基準点に向けて変換を行い、出力色域の点Ｄ’を変換済画像信号として出力すればよい。
【００６９】
この第２の具体例における基準点１、基準点２、基準点３の設定方法についても、第１の具体例で説明した種々の変形を行ってもよい。さらに、彩度差に応じた変更の方法についても上述の例に限られるものではなく、例えば被変換画像信号の彩度により基準点を変更する割合を変えるなど、種々の変形を行ってもよい。
【００７０】
図４は、本発明の色変換装置の第１の実施の形態における第３の具体例の説明図である。この第３の具体例では、ある色信号を異なる装置に与えた場合に再現される色の明度差を取得して基準点を設定し、色変換を行う例を示している。この具体例において、第１の入力色域の色を再現する装置１と、第２の入力色域の色を再現する装置２とがあり、これらの装置に、ある画像信号を与えたとする。この場合、装置による再現性の違いから、異なる再現色となる場合がある。図４において、第１の入力色域の最大彩度色の明度よりも明度が高いある画像信号を装置１に与えた場合の再現色を色Ａ、装置２に与えた場合の再現色を色Ｂとして示している。また、第１の入力色域の最大彩度色の明度よりも明度が低い別の画像信号を装置１に与えた場合の再現色を色Ｃ、装置２に与えた場合の再現色を色Ｄとして示している。このような異なる装置における再現色は、例えば被変換画像信号のもととなる画像信号が装置依存色空間の画像信号であれば、それぞれの装置における装置依存色空間から装置非依存色空間へ変換するプロファイルなどを用いて求めればよい。
【００７１】
明度差取得部１１は、色Ａと色Ｂの明度差、あるいは色Ｃと色Ｄの明度差、またはその両方を取得する。基準点設定部１２は、被変換画像信号が第１の入力色域の色点である場合には、明度軸上の第１の入力色域の最大彩度点Ｐの明度の点を基準点（基準点１）として設定する。また、被変換画像信号が第１の入力色域外である場合には、さらに被変換画像信号の明度が基準点１の明度より大きいか否かを判定する。被変換画像信号が第１の入力色域外であって基準点１の明度より大きい場合には、基準点１より明度が高い側に基準点（基準点２）を設定する。例えば基準点１の明度に、色Ａと色Ｂの明度差ｄＬまたは明度差ｄＬに予め決められた係数を乗算した値を加算して基準点２の明度とすればよい。被変換画像信号が第１の入力色域外であって基準点１の明度以下の場合には、基準点１より明度が低い側に基準点（基準点３）を設定する。例えば基準点１の明度から、色Ｃと色Ｄの明度差ｄＬまたは明度差ｄＬに予め決められた係数を乗算した値を差し引いて基準点３の明度とすればよい。そして、それぞれ設定した基準点に向けて、変換部１３で被変換画像信号を出力色域の変換済画像信号へ変換すればよい。
【００７２】
例えば図４における点Ａ及び点Ｃは第１の入力色域の色である。この場合には、基準点１に向けて変換を行い、出力色域の点Ａ’、点Ｃ’を変換済画像信号として出力すればよい。点Ｂは第１の入力色域外の色であり、第１の入力色域における最大彩度点の明度よりも明度が高い色である。従って、基準点１に点Ａと点Ｂの明度差ｄＬを加算した基準点２に向けて変換を行い、出力色域の点Ｂ’を変換済画像信号として出力すればよい。また点Ｄは、第１の入力色域外の色であって、第１の入力色域における最大彩度点の明度よりも明度が低い色である。従って、基準点１から点Ｃと点Ｄの明度差ｄＬを差し引いた基準点３に向けて変換を行い、出力色域の点Ｄ’を変換済画像信号として出力すればよい。
【００７３】
なお、基準点１、基準点２、基準点３の設定方法は第１の具体例で説明した種々の変形を行ってもよい。さらに、第２の実施例で説明したように彩度差に応じた変更を行ってもよい。
【００７４】
図５は、本発明の色変換装置の第１の実施の形態における第１の変形例を示す構成図である。図中、１４は補正部である。この第１の変形例では補正部１４を設けた構成を示している。
【００７５】
補正部１４は、第１の入力色域及び第２の入力色域の明度幅を、出力色域の明度幅に合わせるように被変換画像信号の明度を補正する。基準点設定部１２及び変換部１３は、この補正部１４によって補正された被変換画像信号を用いて基準点の設定及び基準点へ向けた色変換を行う。
【００７６】
図６は、本発明の色変換装置の第１の実施の形態における第４の具体例の説明図である。この第４の具体例では、図５に第１の変形例として示した補正部１４を設けた場合の具体例を示している。まず補正部１４によって、第１の入力色域及び第２の入力色域の明度幅を、出力色域の明度幅に合わせる補正を行う。図６（Ａ）においては、補正前の第１の入力色域及び第２の入力色域を太線で、補正後の第１の入力色域及び第２の入力色域を細線で、それぞれ示している。この例では、太線で示した補正前の第１の入力色域及び第２の入力色域とも明度幅は出力色域の明度幅より広いが、いずれも出力色域の明度幅に合わせるように補正を行う。この補正によって細線で示した第１の入力色域及び第２の入力色域となり、被変換画像信号は補正後の第２の入力色域の色となる。
【００７７】
一方、明度差取得部１１は補正前の第１の入力色域（太い実線）の最大彩度点Ｐと第２の入力色域（太い破線）の最大彩度点Ｑとの明度差ｄＬを取得しておく。
【００７８】
基準点設定部１２は、補正後の被変換画像信号が補正後の第１の入力色域の色点である場合には、明度軸上の補正後の第１の入力色域の最大彩度点Ｐ’の明度の点を基準点（基準点１）として設定する。また、補正後の被変換画像信号が補正後の第１の入力色域外である場合には、さらに補正後の被変換画像信号の明度が基準点１の明度より大きいか否かを判定する。補正後の被変換画像信号が補正後の第１の入力色域外であって基準点１の明度より大きい場合には、基準点１より明度が高い側に基準点（基準点２）を設定する。例えば基準点１の明度に、明度差ｄＬまたは明度差ｄＬに予め決められた係数を乗算した値を加算して基準点２の明度とすればよい。補正後の被変換画像信号が補正後の第１の入力色域外であって基準点１の明度以下の場合には、基準点１より明度が低い側に基準点（基準点３）を設定する。例えば基準点１の明度から、明度差ｄＬまたは明度差ｄＬに予め決められた係数を乗算した値を差し引いて基準点３の明度とすればよい。そして、それぞれ設定した基準点に向けて、変換部１３で補正後の被変換画像信号を出力色域の変換済画像信号へ変換すればよい。
【００７９】
例えば図６（Ｂ）において、点Ａ、点Ｂ、点Ｃ、点Ｄは補正部１４による補正後の色点である。点Ａは補正後の第１の入力色域の色であり、この場合には基準点１に向けて変換を行い、出力色域の点Ａ’を変換済画像信号として出力すればよい。また点Ｃについても補正後の第１の入力色域の色であるので、基準点１に向けて変換を行い、出力色域の点Ｃ’を変換済画像信号として出力すればよい。
【００８０】
点Ｂは補正後の第１の入力色域外の色である。さらに、補正後の第１の入力色域における最大彩度点の明度よりも明度が高い色である。従って、基準点１に明度差ｄＬを加算した基準点２に向けて変換を行い、出力色域の点Ｂ’を変換済画像信号として出力すればよい。また点Ｄは、補正後の第１の入力色域外の色であって、補正後の第１の入力色域における最大彩度点の明度よりも明度が低い色である。従って、基準点１から明度差ｄＬを差し引いた基準点３に向けて変換を行い、出力色域の点Ｄ’を変換済画像信号として出力すればよい。
【００８１】
なお、この第４の具体例においても、上述第１の具体例において説明した変形や、上述の第２の具体例で説明した、彩度差に応じて基準点を変更する構成、第３の具体例で説明した、異なる装置に画像信号を与えた場合の再現色の明度差を用いる構成などを用いてもよいことは言うまでもない。
【００８２】
次に、本発明の色変換装置の第１の実施の形態における第２の変形例について説明する。この第２の変形例における構成は図５に示したものであるが、補正部１４の動作が異なる。補正部１４は、被変換画像信号に対して明度または彩度あるいは明度と彩度について補正する。より具体的には、第１の入力色域外の被変換画像信号について、明度の補正であれば被変換画像信号の明度が高いほど明度の補正量を大きくして明度を高める補正を行う。また彩度の補正であれば、被変換画像信号の彩度が高いほど彩度の補正量を大きくして彩度を高める補正を行う。なお、明度及び彩度についての補正を行う場合に、第２の入力色域のうち第１の入力色域外となる色領域であって、第１の入力色域の最大彩度点の明度よりも高い明度の色領域が存在しない場合には、明度の補正を行わないように構成するとよい。また、第２の入力色域における最大彩度点の明度が第１の入力色域における最大彩度点の明度よりも高い場合には、第２の入力色域のうち第１の入力色域外となる色領域であって第１の入力色域の最大彩度点の明度よりも高い明度の色領域について、被変換画像信号に対して明度及び彩度の補正を行い、第１の入力色域における最大彩度点の明度が第２の入力色域における最大彩度点の明度以上の場合には、第２の入力色域のうち第１の入力色域外となる色領域であって第２の入力色域の最大彩度点の明度よりも高い明度の色領域について、被変換画像信号に対して彩度の補正を行うように構成してもよい。
【００８３】
なお、基準点設定部１２は補正前の被変換画像信号を用いて基準点を設定し、変換部１３は、この補正部１４によって補正された被変換画像信号を用いて基準点へ向けた色変換を行う。
【００８４】
図７は、本発明の色変換装置の第１の実施の形態における第５の具体例の説明図である。この第５の具体例では、補正部１４において明度の補正を行う場合について示している。補正部１４は、第１の入力色域外の被変換画像信号に対して、明度が高いほど補正量が大きくなるように明度が高くなる補正を行う。図７（Ａ）においては、補正前の第２の入力色域を太線で、補正後の第２の入力色域を細線で、それぞれ示している。この明度方向の補正で、被変換画像信号は細線で示した第２の入力色域の色となる。なお、明度差取得部１１は補正前の第１の入力色域（太い実線）の最大彩度点Ｐと第２の入力色域（太い破線）の最大彩度点Ｑとの明度差ｄＬを取得しておく。
【００８５】
基準点設定部１２は、補正前の被変換画像信号が第１の入力色域の色点である場合には、明度軸上の第１の入力色域の最大彩度点Ｐの明度の点を基準点（基準点１）として設定する。また、補正前の被変換画像信号が第１の入力色域外である場合には、さらに補正前の被変換画像信号の明度が基準点１の明度より大きいか否かを判定する。補正前の被変換画像信号が第１の入力色域外であって基準点１の明度より大きい場合には、例えば基準点１の明度に明度差ｄＬまたは明度差ｄＬに予め決められた係数を乗算した値を加算して基準点２の明度とし、基準点１より明度が高い側に基準点（基準点２）を設定する。補正前の被変換画像信号が第１の入力色域外であって基準点１の明度以下の場合には、例えば基準点１の明度から明度差ｄＬまたは明度差ｄＬに予め決められた係数を乗算した値を差し引いて基準点３の明度とし、基準点１より明度が低い側に基準点（基準点３）を設定する。
【００８６】
そして、それぞれ設定した基準点に向けて、変換部１３で補正後の被変換画像信号を出力色域の変換済画像信号へ変換する。例えば図７（Ｂ）において、点Ａと点Ｃについては第１の入力色域の色点であることから、補正部１４による補正の対象とはならない。上述のように点Ａは基準点１に向けて変換を行い、出力色域の点Ａ’を変換済画像信号として出力すればよい。また点Ｃについても基準点１に向けて変換を行い、出力色域の点Ｃ’を変換済画像信号として出力すればよい。
【００８７】
また点Ｂ、点Ｄは、第１の入力色域外の色点であることから補正部１４によって明度方向の補正を行った後の色点であるものとしている。点Ｂは点Ｄよりも明度が高い色であるので、明度の補正量も点Ｂの方が点Ｄよりも大きく、明度が高くなるように補正が行われる。このように補正された後、点Ｂについては第１の入力色域における最大彩度点の明度よりも明度が高い色であることから、基準点１に明度差ｄＬを加算した基準点２に向けて変換を行い、出力色域の点Ｂ’を変換済画像信号として出力すればよい。また点Ｄについては第１の入力色域における最大彩度点の明度よりも明度が低い色であることから、基準点１から明度差ｄＬを差し引いた基準点３に向けて変換を行い、出力色域の点Ｄ’を変換済画像信号として出力すればよい。いずれも基準点の設定は第１の具体例で説明したものであるが、被変換画像信号の明度を補正したので変換方向が第１の具体例とは異なり、第１の具体例の場合に比べて明度が高い色に変換されることになる。
【００８８】
なお、この第５の具体例においても、上述第１の具体例において説明した変形や、上述の第２の具体例で説明した、彩度差に応じて基準点を変更する構成、第３の具体例で説明した、異なる装置に画像信号を与えた場合の再現色の明度差を用いる構成などを用いてもよいことは言うまでもない。
【００８９】
図８は、本発明の色変換装置の第１の実施の形態における第６の具体例の説明図である。この第６の具体例では、補正部１４において彩度の補正を行う場合について示している。補正部１４は、第１の入力色域外の被変換画像信号に対して、彩度が高いほど補正量が大きくなるように、彩度が高くなる補正を行う。図８（Ａ）においては、補正前の第２の入力色域を太線で、補正後の第２の入力色域を細線で、それぞれ示している。この彩度方向の補正で、被変換画像信号は細線で示した第２の入力色域の色となる。なお、明度差取得部１１は補正前の第１の入力色域（太い実線）の最大彩度点Ｐと第２の入力色域（太い破線）の最大彩度点Ｑとの明度差ｄＬを取得しておく。
【００９０】
基準点設定部１２は、補正前の被変換画像信号が第１の入力色域の色点である場合には、明度軸上の第１の入力色域の最大彩度点Ｐの明度の点を基準点（基準点１）として設定する。また、補正前の被変換画像信号が第１の入力色域外である場合には、さらに補正前の被変換画像信号の明度が基準点１の明度より大きいか否かを判定する。補正前の被変換画像信号が第１の入力色域外であって基準点１の明度より大きい場合には、例えば基準点１の明度に明度差ｄＬまたは明度差ｄＬに予め決められた係数を乗算した値を加算して基準点２の明度とし、基準点１より明度が高い側に基準点（基準点２）を設定する。補正前の被変換画像信号が第１の入力色域外であって基準点１の明度以下の場合には、例えば基準点１の明度から明度差ｄＬまたは明度差ｄＬに予め決められた係数を乗算した値を差し引いて基準点３の明度とし、基準点１より明度が低い側に基準点（基準点３）を設定する。
【００９１】
そして、それぞれ設定した基準点に向けて、変換部１３で補正後の被変換画像信号を出力色域の変換済画像信号へ変換する。例えば図８（Ｂ）において、点Ａと点Ｃについては第１の入力色域の色点であることから、補正部１４による補正の対象とはならない。上述のように点Ａは基準点１に向けて変換を行い、出力色域の点Ａ’を変換済画像信号として出力すればよい。また点Ｃについても基準点１に向けて変換を行い、出力色域の点Ｃ’を変換済画像信号として出力すればよい。
【００９２】
また点Ｂ、点Ｄは、第１の入力色域外の色点であることから補正部１４によって彩度方向の補正を行った後の色点であるものとしている。補正された後の点Ｂについては第１の入力色域における最大彩度点の明度よりも明度が高い色であることから、基準点１に明度差ｄＬを加算した基準点２に向けて変換を行い、出力色域の点Ｂ’を変換済画像信号として出力すればよい。また点Ｄについては第１の入力色域における最大彩度点の明度よりも明度が低い色であることから、基準点１から明度差ｄＬを差し引いた基準点３に向けて変換を行い、出力色域の点Ｄ’を変換済画像信号として出力すればよい。いずれも基準点の設定は第１の具体例で説明したものであるが、被変換画像信号の彩度を高める補正を行っているので変換方向が第１の具体例とは異なり、第１の具体例の場合に比べて彩度を保存した変換が行われることになる。
【００９３】
なお、この第６の具体例においても、上述第１の具体例において説明した変形や、上述の第２の具体例で説明した、彩度差に応じて基準点を変更する構成、第３の具体例で説明した、異なる装置に画像信号を与えた場合の再現色の明度差を用いる構成などを用いてもよいことは言うまでもない。
【００９４】
図９は、本発明の色変換装置の第１の実施の形態における第７の具体例の説明図である。この第７の具体例では、補正部１４において明度及び彩度の補正を行う場合の一例について示している。補正部１４は、第１の入力色域外の被変換画像信号に対して、明度が高いほど補正量が大きくなるように明度が高くなる補正を行うとともに、彩度が高いほど補正量が大きくなるように彩度が高くなる補正を行う。その際に、第２の入力色域のうち第１の入力色域外となる色領域であって、第１の入力色域の最大彩度点の明度よりも高い明度の色領域が存在しない場合には、明度の補正を行わない場合の具体例を示している。
【００９５】
図９（Ａ）に示す例では、第２の入力色域のうち第１の入力色域外となる色領域であって、第１の入力色域の最大彩度点の明度よりも高い明度の色領域が存在する場合を示している。このような場合には、被変換画像信号に対して明度が高いほど補正量が大きくなるように明度が高くなる補正を行うとともに、彩度が高いほど補正量が大きくなるように、彩度が高くなる方向への補正を行う。この補正によって、第２の入力色域は明度方向と彩度方向に拡張され、図９（Ａ）において細い実線で示した色域となる。
【００９６】
一方、図９（Ｂ）に示した例では、第２の入力色域のうち第１の入力色域外となる色領域であって、第１の入力色域の最大彩度点の明度よりも高い明度の色領域は存在していない。このような場合には、被変換画像信号に対して明度の補正を行わず、彩度について彩度が高いほど補正量が大きくなるように、彩度が高くなる方向への補正を行う。この補正によって、第２の入力色域は彩度方向に拡張され、図９（Ｂ）において細い実線で示した色域となる。
【００９７】
なお、いずれの場合も基準点の設定については上述の各具体例における設定方法を適用すればよく、また基準点へ向けた色変換についても、このように第２の入力色域と第１の入力色域の関係に応じて補正した被変換画像信号を使用する以外は上述した各具体例で説明した変換方法を適用すればよいので、ここでは説明を省略する。
【００９８】
図１０は、本発明の色変換装置の第１の実施の形態における第８の具体例の説明図である。この第８の具体例では、補正部１４において明度及び彩度の補正を行う明度領域を制限した場合の一例について示している。補正部１４は、第１の入力色域における最大彩度点の明度と第２の入力色域における最大彩度点の明度を比較し、第１の入力色域と第２の入力色域の位置関係を調べる。第２の入力色域における最大彩度点の明度が、第１の入力色域における最大彩度点の明度よりも高い場合には、第２の入力色域のうち第１の入力色域外となる色領域であって第１の入力色域の最大彩度点の明度よりも高い明度の色領域について、被変換画像信号に対して明度及び彩度の補正を行う。また、第１の入力色域における最大彩度点の明度が、第２の入力色域における最大彩度点の明度以上の場合には、第２の入力色域のうち第１の入力色域外となる色領域であって第２の入力色域の最大彩度点の明度よりも高い明度の色領域について、被変換画像信号に対して明度の補正を行わずに彩度の補正を行う。
【００９９】
図１０（Ａ）に示す例は、第２の入力色域における最大彩度点の明度が、第１の入力色域における最大彩度点の明度よりも高い場合を示している。この場合には、補正を行う領域を、第１の入力色域の最大彩度点の明度よりも明度が高い色領域に制限する。従って、第２の入力色域のうち第１の入力色域外となる色領域であって、第１の入力色域の最大彩度点の明度よりも高い明度の色領域について、被変換画像信号に対して明度及び彩度の補正を行う。この場合の補正も、明度が高いほど補正量が大きくなるように、明度が高くなる方向へ補正するものであり、また、彩度が高いほど補正量が大きくなるように、彩度が高くなる方向へ補正するものであるとよい。この補正によって、第１の入力色域の最大彩度点の明度よりも高い領域について、第２の入力色域は明度方向と彩度方向に拡張され、図１０（Ａ）において細い実線で示した色域となる。
【０１００】
一方、図１０（Ｂ）に示した例では、第１の入力色域における最大彩度点の明度が、第２の入力色域における最大彩度点の明度以上の場合を示している。この場合には、補正を行う領域を、第２の入力色域の最大彩度点の明度よりも明度高い色領域に制限する。従って、第２の入力色域のうち第１の入力色域外となる色領域であって、第２の入力色域の最大彩度点の明度よりも高い明度の色領域について、被変換画像信号に対して明度の補正を行わずに彩度の補正を行う。この場合の補正も、彩度が高いほど補正量が大きくなるように彩度が高くなる補正であるとよい。この補正によって、第２の入力色域の最大彩度点の明度よりも高い領域について、第２の入力色域は明度方向と彩度方向に拡張され、図１０（Ｂ）において細い実線で示した色域となる。
【０１０１】
なお、いずれの場合も基準点の設定については上述の各具体例における設定方法を適用すればよく、また基準点へ向けた色変換についても、このように第２の入力色域と第１の入力色域の関係に応じて補正した被変換画像信号を使用する以外は上述した各具体例で説明した変換方法を適用すればよいので、ここでは説明を省略する。
【０１０２】
図１１は、本発明の色変換装置の第１の実施の形態における第３の変形例を示す構成図である。図中、１５は彩度比取得部である。この第３の変形例では図１に示した構成に、さらに彩度比取得部１５を設けた構成を示している。
【０１０３】
彩度比取得部１５は、第１の入力色域と第２の入力色域の予め決められた色点における彩度比を取得する。彩度比を取得する色点としては、例えば第１の入力色域の最大彩度点と第２の入力色域の最大彩度点とすればよい。あるいは、第１の入力色域と第２の入力色域がそれぞれ異なる装置における色域である場合に、ある色信号をそれぞれの装置に与えた場合に異なる再現色となることがあり、その再現色を彩度比取得のための色点としてもよい。もちろん、第１の入力色域と第２の入力色域の対応する他の１対の色点から彩度比を取得してもよい。彩度比Ｃｔとしては、第１の入力色域の最大彩度点Ｃｓ１と第２の入力色域の最大彩度点Ｃｓ２とから求める場合、Ｃｔ＝Ｃｓ２／Ｃｓ１等で求めればよい。この例では、第２の入力色域の最大彩度の方が第１の入力色域の最大彩度よりも大きい場合にＣｔは１より大きな値となる。
【０１０４】
変換部１３は、彩度比取得部１５で取得した彩度比に従って、被変換画像信号を出力色域の変換済画像信号へ変換する。どのように彩度比を用いて色変換を行うかについては種々の方法があり、予め決めておけばよい。一例としては、第１の入力色域の最大彩度をＣｓ、出力色域の最大彩度をＣｄ、被変換画像信号の彩度をＣｉ、変換済画像信号の彩度をＣｏとし、彩度比取得部１５で得られた彩度比をＣｔとすると、
Ｃｏ＝Ｃｉ×（Ｃｄ／Ｃｓ）Ct      …（１）
等で変換済画像信号の彩度を求めればよい。この例ではＣｔをガンマ係数として使用している。例えば第１の入力色域の最大彩度Ｃｓの方が出力色域の最大彩度Ｃｄよりも大きいとすると、（Ｃｄ／Ｃｓ）は１より小さい値となる。上述のようにＣｔを１より大きい値とすると、Ｃｔが大きな値となるほど（Ｃｄ／Ｃｓ）Ctの値は小さくなり、Ｃｔが１に近づくほど（Ｃｄ／Ｃｓ）に近づくことになる。従って、第２の入力色域の最大彩度と第１の入力色域の最大彩度の差が小さいほど彩度が保存され、第２の入力色域の最大彩度と第１の入力色域の最大彩度の差が大きいほど彩度が圧縮されることになる。ここでは基準点へ向けた方向に変換するので、求めた彩度をもとに明度を求めればよい。
【０１０５】
上述の変換式（１）では第１の入力色域の最大彩度と出力色域の最大彩度との比をもとにして色変換を行っている。従って、第１の入力色域の色については出力色域の色に変換されることになる。第２の入力色域の色であって第１の入力色域外の色については、上述の変換式では出力色域の色に変換されるとは限らない。上述の変換式により変換して得られた色が出力色域外となった場合には、さらに別の方法により出力色域の色へと変換を行う。例えば、基準点設定部１２で設定した基準点と変換式により得られた色とを結ぶ線分と出力色域外郭との交点の色に変換すればよい。あるいは、変換式により得られた色との色差が最小となる出力色域の色に変換してもよい。もちろん、変換式により得られた色を他の方法により出力色域の色に変換してもよいことは言うまでもない。
【０１０６】
なお、この第３の変形例を上述の第１の変形例あるいはさらに第２の変形例と組み合わせて用いてもよいことは言うまでもない。
【０１０７】
図１２は、本発明の色変換装置の第１の実施の形態における第９の具体例の説明図である。この第９の具体例では、図１１に第３の変形例として示した彩度比取得部１５を設けた場合の具体例を示している。
【０１０８】
明度差取得部１１は第１の入力色域の最大彩度点Ｐと第２の入力色域の最大彩度点Ｑとの明度差ｄＬを取得する。また彩度比取得部１５は、この例では第１の入力色域の最大彩度点Ｐと第２の入力色域の最大彩度点Ｑとの彩度比Ｃｔを取得する例を示している。この例では、第１の入力色域の最大彩度点Ｐの彩度をＣｓ１、第２の入力色域の最大彩度点Ｑの彩度をＣｓ２とし、彩度比Ｃｔ＝Ｃｓ２／Ｃｓ１としている。
【０１０９】
基準点設定部１２は、被変換画像信号が第１の入力色域の色点である場合には、明度軸上の第１の入力色域の最大彩度点Ｐの明度の点を基準点（基準点１）として設定する。また、被変換画像信号が第１の入力色域外である場合には、さらに被変換画像信号の明度が基準点１の明度より大きいか否かを判定する。被変換画像信号が第１の入力色域外であって基準点１の明度より大きい場合には、例えば基準点１の明度に明度差ｄＬまたは明度差ｄＬに予め決められた係数を乗算した値を加算し、基準点１より明度が高い側に基準点（基準点２）を設定する。被変換画像信号が第１の入力色域外であって基準点１の明度以下の場合には、例えば基準点１の明度から明度差ｄＬまたは明度差ｄＬに予め決められた係数を乗算した値を差し引いて、基準点１より明度が低い側に基準点（基準点３）を設定する。
【０１１０】
そして、それぞれ設定した基準点に向けて、変換部１３で被変換画像信号を出力色域の変換済画像信号へ変換する。その際に、彩度比取得部１５で取得した彩度比Ｃｔを使用して変換を行う。ここでは一例として、上述の変換式（１）を使用する。
【０１１１】
例えば図１２における点Ａは第１の入力色域の色であることから基準点１に向けて変換を行うが、その際に、彩度比Ｃｔに応じて出力色域の内側の色に変換して変換済画像信号として出力する。例えば上述の変換式（１）を使用して彩度Ｃｏを求め、点Ａと基準点１を結ぶ線分上の求めた彩度Ｃｏを有する点を変換済画像信号とすればよい。また点Ｃについても第１の入力色域の色であるので、基準点１に向けて変換を行うが、その際に、彩度比Ｃｔに応じて出力色域の内側の色に変換して変換済画像信号として出力する。この場合も、上述の変換式（１）を使用して彩度Ｃｏを求め、点Ｃと基準点１を結ぶ線分上の求めた彩度Ｃｏを有する点を変換済画像信号とすればよい。
【０１１２】
第１の入力色域の外郭点Ｂは第１の入力色域外の色であって、第１の入力色域における最大彩度点の明度よりも明度が高い色である。この場合には、基準点１に明度差ｄＬを加算した基準点２に向けて変換を行う。その際に、彩度比Ｃｔを考慮して変換する。例えば上述の変換式（１）を使用して彩度Ｃｏを求め、点Ｂと基準点２を結ぶ線分上の求めた彩度Ｃｏを有する点Ｂ”を求める。この例では、求めた点Ｂ”が出力色域外であった場合を示している。このような場合には、さらに出力色域への変換を行う。この例では、点Ｂ”と基準点２を結ぶ線分と出力色域の外郭との交点Ｂ’を求めている。求めた点Ｂ’を変換済画像信号として出力すればよい。
【０１１３】
また点Ｄは、第１の入力色域外の色であって、第１の入力色域における最大彩度点の明度よりも明度が低い色である。この場合には、基準点１から明度差ｄＬを差し引いた基準点３に向けて変換を行うが、その際に、彩度比Ｃｔを考慮する。例えば上述の変換式（１）を使用して彩度Ｃｏを求め、点Ｄと基準点３を結ぶ線分上の求めた彩度Ｃｏを有する点Ｄ’を求める。この例では点Ｄ’は出力色域の色であるものとしており、この場合には点Ｄ’を変換済画像信号として出力する。
【０１１４】
なお、この第９の具体例においても、上述第１の具体例において説明した変形や、上述の第２の具体例で説明した、彩度差に応じて基準点を変更する構成、第３の具体例で説明した、異なる装置に画像信号を与えた場合の再現色の明度差を用いる構成、第１の変形例及び第２の変形例で説明した補正部１３を有する構成などを用いてもよい。
【０１１５】
図１３は、本発明の色変換装置の第１の実施の形態における第１０の具体例の説明図である。この第１０の具体例も、図１１に第３の変形例として示した彩度比取得部１５を設けた場合の具体例であり、彩度比の取得に用いる点が異なる例を示している。上述の第３の具体例でも説明したが、ある色信号を異なる装置に与えた場合に再現される色が異なる場合がある。図１３において、第１の入力色域の最大彩度色の明度よりも明度が高い、ある画像信号を装置１に与えた場合の再現色を色Ａ、装置２に与えた場合の再現色を色Ｂとして示している。また、第１の入力色域の最大彩度色の明度よりも明度が低い別の画像信号を装置１に与えた場合の再現色を色Ｃ、装置２に与えた場合の再現色を色Ｄとして示している。このような異なる装置における再現色は、例えば被変換画像信号のもととなる画像信号が装置依存色空間の画像信号であれば、それぞれの装置における装置依存色空間から装置非依存色空間へ変換するプロファイルなどを用いて求めればよい。
【０１１６】
明度差取得部１１は、色Ａと色Ｂの明度差、あるいは色Ｃと色Ｄの明度差、またはその両方を取得する。あるいは別の点から明度差を求めてもよく、例えば第１の入力色域と第２の入力色域の最大彩度点における明度差を求めてもよい。
【０１１７】
基準点設定部１２は、被変換画像信号が第１の入力色域の色点である場合には、明度軸上の第１の入力色域の最大彩度点Ｐの明度の点を基準点（基準点１）として設定する。また、被変換画像信号が第１の入力色域外である場合には、さらに被変換画像信号の明度が基準点１の明度より大きいか否かを判定する。被変換画像信号が第１の入力色域外であって基準点１の明度より大きい場合には、例えば基準点１の明度に、色Ａと色Ｂの明度差ｄＬまたは明度差ｄＬに予め決められた係数を乗算した値を加算して、基準点１より明度が高い側に基準点（基準点２）を設定する。被変換画像信号が第１の入力色域外であって基準点１の明度以下の場合には、例えば基準点１の明度から、色Ｃと色Ｄの明度差ｄＬまたは明度差ｄＬに予め決められた係数を乗算した値を差し引いて、基準点１より明度が低い側に基準点（基準点３）を設定する。
【０１１８】
また彩度比取得部１５は、色Ａと色Ｂの彩度比Ｃｔ、あるいは色Ｃと色Ｄの彩度比Ｃｔ、またはその両方を取得する。そして変換部１３は、基準点設定部１２でそれぞれ設定した基準点に向けて、彩度比取得部１５で取得した彩度比Ｃｔに従って被変換画像信号を出力色域の変換済画像信号へ変換する。この変換には、例えば、上述の変換式（１）を用いて彩度を求め、変換方向へ向けて当該彩度を有する点を求めればよい。
【０１１９】
例えば図１３における点Ａは第１の入力色域の色であることから基準点１に向けて変換を行う。その際に、例えば上述の変換式（１）を用いて彩度比Ｃｔに応じた変換を行い、出力色域の内側の色に変換して変換済画像信号として出力する。また点Ｃについても第１の入力色域の色であるので、基準点１に向けて変換を行う。その際に、例えば上述の変換式（１）を用いて彩度比Ｃｔに応じた変換を行い、出力色域の内側の色に変換して変換済画像信号として出力する。
【０１２０】
第１の入力色域の外郭点Ｂは第１の入力色域外の色であって、第１の入力色域における最大彩度点の明度よりも明度が高い色である。この場合には、基準点１に明度差ｄＬを加算した基準点２に向けて変換を行う。その際に、例えば上述の変換式（１）を用いて彩度比Ｃｔを考慮した変換を行い、出力色域の外郭の色Ｂ’に変換して変換済画像信号として出力する。また点Ｄは、第１の入力色域外の色であって、第１の入力色域における最大彩度点の明度よりも明度が低い色である。この場合には、基準点１から明度差ｄＬを差し引いた基準点３に向けて変換を行う。その際に、例えば上述の変換式（１）を用いて彩度比Ｃｔを考慮した変換を行い、出力色域の外郭の色Ｄ’に変換して変換済画像信号として出力する。なお、変換式（１）を用いて得られた点が出力色域外の色であれば、さらに基準点２又は基準点３へ向けて変換し、あるいは色差最小の出力色域の色に変換すればよい。
【０１２１】
なお、この第１０の具体例においても、上述第１の具体例において説明した変形や、上述の第２の具体例で説明した、彩度差に応じて基準点を変更する構成、第１の変形例や第２の変形例で説明した補正部１３を有する構成などを用いてもよい。
【０１２２】
図１４は、本発明の色変換装置の第２の実施の形態を示す構成図である。この第２の実施の形態は、図１１に示した本発明の色変換装置の第１の実施の形態における第３の変形例の構成において、変換部１３で行う色変換の方法を限定しないものである。そのため、明度差取得部１１及び基準点設定部１２を有していない。
【０１２３】
本発明の色変換装置の第１の実施の形態における第３の変形例で述べたように、彩度比取得部１５は、第１の入力色域と第２の入力色域の予め決められた色点における彩度比を取得する。彩度比を取得する色点としては、例えば第１の入力色域の最大彩度点と第２の入力色域の最大彩度点とすればよい。あるいは、第１の入力色域と第２の入力色域がそれぞれ異なる装置における色域である場合に、ある色信号をそれぞれの装置に与えた場合に異なる再現色となることがあり、その再現色を彩度比取得のための色点としてもよい。もちろん、第１の入力色域と第２の入力色域の対応する他の１対の色点から彩度比を取得してもよい。彩度比Ｃｔとしては、第１の入力色域の最大彩度点Ｃｓ１と第２の入力色域の最大彩度点Ｃｓ２とから求める場合、Ｃｔ＝Ｃｓ２／Ｃｓ１等で求めればよい。この例では、第２の入力色域の最大彩度の方が第１の入力色域の最大彩度よりも大きい場合にＣｔは１より大きな値となる。
【０１２４】
変換部１３は、彩度比取得部１５で取得した彩度比に従って、被変換画像信号を出力色域の変換済画像信号へ変換する。この第２の実施の形態では、変換部１３において採用する色変換方法は限定されない。また、どのように彩度比を用いて色変換を行うかについても限定されない。例えば予め決められた基準点へ向けて色変換を行う場合、第１の入力色域の最大彩度をＣｓ、出力色域の最大彩度をＣｄ、被変換画像信号の彩度をＣｉ、変換済画像信号の彩度をＣｏとし、彩度比取得部１５で得られた彩度比をＣｔとすると、
Ｃｏ＝Ｃｉ×（Ｃｄ／Ｃｓ）Ct
等で変換済画像信号の彩度を求めればよい。なお、この変換式は上述の変換式（１）であり、その挙動は既に述べたとおりである。ここでは基準点へ向けた方向に変換するので、変換式により求めた彩度をもとに明度を求めればよい。
【０１２５】
上述の変換式では第１の入力色域の最大彩度と出力色域の最大彩度との比をもとにして色変換を行っている。従って、第１の入力色域の色については出力色域の色に変換されることになる。第２の入力色域の色であって第１の入力色域外の色については、上述の変換式では出力色域の色に変換されるとは限らない。上述の変換式により変換して得られた色が出力色域外となった場合には、さらに別の方法により出力色域の色へと変換を行う。例えば、基準点設定部１２で設定した基準点と変換式により得られた色とを結ぶ線分と出力色域外郭との交点の色に変換すればよい。あるいは、変換式により得られた色との色差が最小となる出力色域の色に変換してもよい。もちろん、変換式により得られた色を他の方法により出力色域の色に変換してもよいことは言うまでもない。
【０１２６】
この第２の実施の形態でも、第１の入力色域と第２の入力色域の関係を用いて、出力色域への色変換が行われることになる。
【０１２７】
図１５は、本発明の色変換装置の第３の実施の形態を示す構成図である。この第３の実施の形態は、本発明の色変換装置の第１の実施の形態における第２の変形例の構成において、変換部１３で行う色変換の方法を限定しないものである。そのため、明度差取得部１１及び基準点設定部１２を有していない。
【０１２８】
本発明の色変換装置の第１の実施の形態における第２の変形例で述べたように、補正部１４は、被変換画像信号に対して明度または彩度あるいは明度と彩度について補正する。より具体的には、第１の入力色域外の被変換画像信号について、明度の補正であれば被変換画像信号の明度が高いほど明度の補正量を大きくして明度を高める補正を行う。また彩度の補正であれば、被変換画像信号の彩度が高いほど彩度の補正量を大きくして彩度を高める補正を行う。なお、明度及び彩度についての補正を行う場合に、第２の入力色域のうち第１の入力色域外となる色領域であって、第１の入力色域の最大彩度点の明度よりも高い明度の色領域が存在しない場合には、明度の補正を行わないように構成するとよい。また、第２の入力色域における最大彩度点の明度が第１の入力色域における最大彩度点の明度よりも高い場合には、第２の入力色域のうち第１の入力色域外となる色領域であって第１の入力色域の最大彩度点の明度よりも高い明度の色領域について、被変換画像信号に対して明度及び彩度の補正を行い、第１の入力色域における最大彩度点の明度が第２の入力色域における最大彩度点の明度以上の場合には、第２の入力色域のうち第１の入力色域外となる色領域であって第２の入力色域の最大彩度点の明度よりも高い明度の色領域について、被変換画像信号に対して彩度の補正を行うように構成してもよい。
【０１２９】
変換部１３は、補正部１４で補正された被変換画像信号を出力色域の変換済画像信号へ変換する。この第３の実施の形態では、変換部１３において採用する色変換方法は限定されない。
【０１３０】
この第３の実施の形態では、例えば高明度側で第１の実施の形態で基準点を変更する代わりに、被変換画像信号を補正することによって、色変換の際の明度低下や彩度低下を抑えた最適な色変換を実現している。なお、上述の本発明の色変換装置の第２の実施の形態の構成と組み合わせてもよい。
【０１３１】
図１６は、本発明の色変換装置の第３の実施の形態における第１の具体例の説明図である。この具体例は、本発明の色変換装置の第１の実施の形態における第５の具体例に対応するものであり、補正部１４による被変換画像信号に対する補正処理は本発明の色変換装置の第１の実施の形態における第５の具体例で説明したようにして明度についての補正を行っている。図１６では、補正前の第２の入力色域を太線で、補正後の第２の入力色域を細線でそれぞれ示している。
【０１３２】
この具体例では変換部１３における変換方法として、予め設定されている基準点へ向けて変換を行う方法を採用した場合を示している。点Ａは補正前の被変換画像信号、点Ａ’は補正後の被変換画像信号である。また、点Ａ’を明度軸上の基準点へ向けて色変換を行い、得られた出力画像信号を点Ｏ’として示している。さらに、点Ａを明度軸上の基準点へ向けて色変換を行い、補正を行わない場合に得られる出力画像信号を点Ｏとして示している。点Ｏ’と点Ｏを比較すると、明度の補正により明度の低下が抑えられていることが分かる。
【０１３３】
図１７は、本発明の色変換装置の第３の実施の形態における第２の具体例の説明図である。この具体例は、本発明の色変換装置の第１の実施の形態における第６の具体例に対応するものであり、補正部１４による被変換画像信号に対する補正処理は本発明の色変換装置の第１の実施の形態における第６の具体例で説明したようにして彩度についての補正を行っている。図１７では、補正前の第２の入力色域を太線で、補正後の第２の入力色域を細線でそれぞれ示している。
【０１３４】
この具体例では変換部１３における変換方法として、予め設定されている基準点へ向けて変換を行う方法を採用した場合を示している。点Ａは補正前の被変換画像信号、点Ａ’は補正後の被変換画像信号である。また、点Ａ’を明度軸上の基準点へ向けて色変換を行い、得られた出力画像信号を点Ｏ’として示している。さらに、点Ａを明度軸上の基準点へ向けて色変換を行い、補正を行わない場合に得られる出力画像信号を点Ｏとして示している。点Ｏ’と点Ｏを比較すると、彩度の補正により彩度の低下が抑えられていることが分かる。
【０１３５】
ここでは明度を補正した場合の例と彩度を補正した場合の例を示したが、もちろん、明度と彩度の両方について補正してもよい。また、本発明の色変換装置の第１の実施の形態における第７の具体例として説明したように、明度及び彩度についての補正を行う場合に、第２の入力色域のうち第１の入力色域外となる色領域であって、第１の入力色域の最大彩度点の明度よりも高い明度の色領域が存在しない場合には、明度の補正を行わないように構成してもよい。さらに、本発明の色変換装置の第１の実施の形態における第８の具体例として説明したように、補正を行う領域を制限してもよい。
【０１３６】
図１８は、本発明の色変換パラメータ決定装置の実施の一形態を示す構成図である。図中、２１は色変換部、２２はパラメータ決定部である。色変換部２１は、上述の本発明の色変換装置の各実施の形態で説明したものであり、第２の入力色域の被変換画像信号を出力色域の変換済画像信号へ変換する。パラメータ決定部２１は、被変換画像信号と該被変換画像信号を色変換部２１で変換した変換済画像信号とから、色変換パラメータを決定する。
【０１３７】
例えば、予め定めた色空間において予め設定されている刻みで色成分を変化させた複数の被変換画像信号を用意し、これらの被変換画像信号を色変換部２１で変換処理する。このようにして得られた変換済画像信号と、変換対象となった被変換画像信号を対応づけることにより、表形式の色変換パラメータが得られる。あるいは被変換画像信号と変換済画像信号との対から、予め決められている関数の係数を求める構成でもよく、色変換方法に応じた色変換パラメータを決定すればよい。また、例えば被変換画像信号のもととなる画像信号が色変換を行う色空間とは異なる場合や、変換済画像信号を他の色空間の画像信号に変換する場合には、それらの色空間の変換を行うためのパラメータと結合し、色変換パラメータを決定してもよい。
【０１３８】
図１９は、本発明の画像処理装置の実施の一形態を示す構成図である。図中、３１は色変換パラメータ記憶部、３２は出力画像信号生成部である。色変換パラメータ記憶部３１は、上述の本発明の色変換パラメータ決定装置の実施の一形態において説明した構成により決定された色変換パラメータを記憶している。
【０１３９】
出力画像信号生成部３２は、色変換パラメータ記憶部３１に記憶されている色変換パラメータに従って入力画像信号から出力画像信号を生成する。例えば色変換パラメータとして表形式の色変換パラメータが色変換パラメータ記憶部３１に記憶されている場合、与えられる入力画像信号に対応する１または複数の被変換画像信号をもとに対応する１または複数の変換済画像信号を色変換パラメータ記憶部３１から得て、例えば補間処理などを行って出力画像信号を生成すればよい。
【０１４０】
図２０は、本発明の画像形成装置の実施の一形態を示す構成図である。図中、３３は画像形成部である。色変換パラメータ記憶部３１及び出力画像信号生成部３２は、図１９に示した本発明の画像処理装置の実施の一形態で説明した構成である。画像形成部３３は、出力画像信号生成部３２で生成された出力画像信号に従って、記録媒体上に画像を形成する。
【０１４１】
なお、この構成においては、画像形成部３３で再現される色域を出力色域として色変換パラメータが決定されている必要がある。すなわち、色変換パラメータ記憶部３１に記憶されている色変換パラメータを決定する際に、画像形成部３３の色域に合わせて色変換パラメータを決定しておく。ここでは図１８に示した本発明の色変換パラメータ決定装置の実施の一形態で説明した構成で色変換パラメータを決定しているので、色変換部２１である本発明の色変換装置の各実施の形態で説明した構成において、画像形成部３３の色域を出力色域として使用し、色変換を行わせることになる。その際に、入力色域については標準的な第１の入力色域とともに第２の入力色域の被変換画像信号についても良好に変換されるようにしているので、この色変換部２１を用いて決定した色変換パラメータを使用して色変換を行えば、第２の入力色域の入力画像信号が与えられた場合でも良好な出力画像信号へ変換され、画像形成部３３で形成される画像において最適な色により再現されることになる。
【０１４２】
図２１は、本発明の色変換装置の各実施の形態または色変換パラメータ決定装置、画像処理装置、画像形成装置の実施の一形態で説明した機能をコンピュータプログラムで実現した場合におけるコンピュータプログラム及びそのコンピュータプログラムを格納した記憶媒体とコンピュータの一例の説明図である。図中、４１はプログラム、４２はコンピュータ、５１は光磁気ディスク、５２は光ディスク、５３は磁気ディスク、５４はメモリ、６１はＣＰＵ、６２は内部メモリ、６３は読取部、６４はハードディスク、６５はインタフェース、６６は通信部である。
【０１４３】
上述の本発明の色変換装置の各実施の形態または色変換パラメータ決定装置、画像処理装置、画像形成装置の実施の一形態及びそれらの変形例で説明した各部の機能の全部あるいは部分的に、コンピュータにより実行可能なプログラム４１によって実現してもよい。その場合、そのプログラム４１およびそのプログラムが用いるデータなどは、コンピュータが読み取り可能な記憶媒体に記憶させておけばよい。記憶媒体とは、コンピュータのハードウェア資源に備えられている読取部６３に対して、プログラムの記述内容に応じて、磁気、光、電気等のエネルギーの変化状態を引き起こして、それに対応する信号の形式で、読取部６３にプログラムの記述内容を伝達するものである。例えば、光磁気ディスク５１，光ディスク５２（ＣＤやＤＶＤなどを含む）、磁気ディスク５３，メモリ５４（ＩＣカード、メモリカードなどを含む）等である。もちろんこれらの記憶媒体は、可搬型に限られるものではない。
【０１４４】
これらの記憶媒体にプログラム４１を格納しておき、例えばコンピュータ４２の読取部６３あるいはインタフェース６５にこれらの記憶媒体を装着することによって、コンピュータからプログラム４１を読み出し、内部メモリ６２またはハードディスク６４に記憶し、ＣＰＵ６１によってプログラム４１を実行することによって、上述の本発明の色変換装置の各実施の形態または色変換パラメータ決定装置、画像処理装置、画像形成装置の実施の一形態及びそれらの変形例で説明した機能の全部あるいは部分的に実現される。あるいは、通信路を介してプログラム４１をコンピュータ４２に転送し、コンピュータ４２では通信部６６でプログラム４１を受信して内部メモリ６２またはハードディスク６４に記憶し、ＣＰＵ６１によってプログラム４１を実行することによって実現してもよい。
【０１４５】
コンピュータ４２には、このほかインタフェース６５を介して様々な装置と接続してもよい。例えば情報を出力する表示手段が接続され、出力画像信号または変換済画像信号に従った表示や画像形成などの出力を行ってもよい。あるいは、例えば利用者からの情報を受け付ける受付手段等が接続されていてもよい。なお、本発明の画像形成装置の実施の一形態における画像形成部３３は、インタフェース６５に接続して構成すればよい。もちろん、画像読取装置等を接続して複写機能を有する装置として構成してもよい。
【０１４６】
もちろん、部分的にハードウェアによって構成することもできるし、全部をハードウェアで構成してもよい。あるいは、他の構成とともに本発明の色変換装置または画像処理装置の実施の一形態及びその変形例で説明した機能の全部あるいは部分的に含めたプログラムとして構成してもよい。他の用途に適用する場合には、その用途におけるプログラムと一体化してもよい。
【符号の説明】
【０１４７】
１１…明度差取得部、１２…基準点設定部、１３…変換部、１４…補正部、１５…彩度比取得部、２１…色変換部、２２…パラメータ決定部、３１…色変換パラメータ記憶部、３２…出力画像信号生成部、３３…画像形成部、４１…プログラム、４２…コンピュータ、５１…光磁気ディスク、５２…光ディスク、５３…磁気ディスク、５４…メモリ、６１…ＣＰＵ、６２…内部メモリ、６３…読取部、６４…ハードディスク、６５…インタフェース、６６…通信部。
【図１】
2011066693.tif 000003
【図２】
2011066693.tif 000004
【図３】
2011066693.tif 000005
【図４】
2011066693.tif 000006
【図５】
2011066693.tif 000007
【図６】
2011066693.tif 000008
【図７】
2011066693.tif 000009
【図８】
2011066693.tif 000010
【図９】
2011066693.tif 000011
【図１０】
2011066693.tif 000012
【図１１】
2011066693.tif 000013
【図１２】
2011066693.tif 000014
【図１３】
2011066693.tif 000015
【図１４】
2011066693.tif 000016
【図１５】
2011066693.tif 000017
【図１６】
2011066693.tif 000018
【図１７】
2011066693.tif 000019
【図１８】
2011066693.tif 000020
【図１９】
2011066693.tif 000021
【図２０】
2011066693.tif 000022
【図２１】
2011066693.tif 000023